(57)【要約】【課題】操作アームの回動方向とシャワーフックの移動方向を一致させて、シャワーフックの移動と固定操作を容易に行うことができるようにすること。【解決手段】浴室等の壁面に取り付けられるスライドレール１０を抱持するシャワーフック本体２０と、シャワーフック本体の内部に設けられ、ばね３４の付勢力によってスライドレールに圧接されるストッパ部材３１を有するストッパ機構３０と、ストッパ機構のばねの付勢力に抗してストッパ部材をスライドレールから離す方向に移動可能な操作部材４０と、操作部材に連設されてシャワーフック本体の外部に突出され、スライドレールに沿う方向に回動可能な操作アーム５０と、シャワーフック本体に突設され、操作アームが回動した際にこの操作アームに当接し、操作アームの更なる回動によってシャワーフック本体をスライドレールに沿う上方向又は下方向の移動を促す上部突起６１及び下部突起６２と、を設ける。【選択図】  図４
2008267054.tif 000002
【特許請求の範囲】
【請求項１】
浴室等の壁面に取り付けられるスライドレールに沿って移動可能な可動式シャワーフックであって、
上記スライドレールを抱持するシャワーフック本体と、このシャワーフック本体の内部に設けられ、ばねの付勢力によって上記スライドレールに圧接されるストッパ部材を有するストッパ機構と、このストッパ機構のばねの付勢力に抗して上記ストッパ部材を上記スライドレールから離す方向に移動可能な操作部材と、この操作部材に連設されて上記シャワーフック本体の外部に突出され、上記スライドレールに沿う方向に回動可能な操作アームと、上記シャワーフック本体に突設され、上記操作アームが回動した際にこの操作アームに当接し、操作アームの更なる回動によってシャワーフック本体を上記スライドレールに沿う上方向又は下方向の移動を促す上部突起及び下部突起と、を具備してなる、ことを特徴とする可動式シャワーフック。
【請求項２】
請求項１記載の可動式シャワーフックにおいて、
上記ストッパ機構は、ストッパ部材の裏面側に係合中空部を有し、かつ、係合中空部の背部にばねを背受するストッパブロックを具備し、上記操作部材は、上記係合中空部内に回転可能に貫挿され、回転に伴って係合中空部に係合して上記ばねの付勢力に抗して上記ストッパ部材をスライドレールから離す方向に移動可能に形成されている、ことを特徴とする可動式シャワーフック。
【請求項３】
請求項１又は２記載の可動式シャワーフックにおいて、
上記上部突起及び下部突起は、上記スライドレールの軸中心に対応する位置に設けられている、ことを特徴とする可動式シャワーフック。
【請求項４】
請求項１ないし３のいずれかに記載の可動式シャワーフックにおいて、
上記操作アームは、上記シャワーフック本体及びスライドレールの外方を包囲する略Ｕ字状に形成されている、ことを特徴とする可動式シャワーフック。
【請求項５】
請求項１ないし４のいずれかに記載の可動式シャワーフックにおいて、
上記シャワーフック本体の上下に配置され、上記スライドレールに摺動可能に被嵌する一対のフィットブロックを更に具備してなる、ことを特徴とする可動式シャワーフック。
【請求項６】
請求項５記載の可動式シャワーフックにおいて、
上記フィットブロックがスライドレールに沿う方向と交差方向に複数に分割して形成され、ばねで付勢されて上記スライドレールへ圧接されている、ことを特徴とする可動式シャワーフック。
【請求項７】
請求項１ないし６のいずれかに記載の可動式シャワーフックにおいて、
上記シャワーフック本体は、共働して上記スライドレールを抱持する凹溝を有する２つのフック半体からなり、両フック半体は、対向する開口端部に互いに摺動可能に嵌合する凹凸嵌合部を有すると共に、嵌合状態において合致する上部及び下部係止突起半体を突設してなり、上記上部及び下部突起は、上記上部及び下部係止突起半体に被嵌される一対の膨隆部を一体に有するキャップ部材にて形成されている、ことを特徴とする可動式シャワーフック。
【発明の詳細な説明】
【技術分野】
【０００１】
この発明は、例えば浴室等の壁面に設置されシャワーヘッドを係止する高さを自由に変更できる可動式シャワーフックに関するものである。
【背景技術】
【０００２】
従来、この種の可動式シャワーフックは、浴室等の壁面に設置されるスライドレールと、このスライドレールに摺動自在かつ固定・固定解除自在に設けられるシャワーフック本体とで主に構成されている。この可動式シャワーフックは、シャワーフック本体にシャワーヘッドを係止するフック部を備えており、シャワーフック本体の高さを変更できるので、シャワーヘッドを係止する高さを自由に変更できる。
【０００３】
従来のこの種の可動式シャワーフックにおいて、シャワーフック本体の側面にレバー部材を備えており、レバー部材の先端をばねの付勢力によりスライドレールの表面に押し付けて固定し、レバー部材を押すことによりスライドレールに対する固定を解除して昇降させる構造のものが知られている（例えば、特許文献１参照）。
【０００４】
また、別の可動式シャワーフックとして、スライドレールの任意の位置に停止するロックレバーを有するシャワーフック本体を、スライドレールに沿う方向に対する交差方向に２分割される半筒部によって形成し、両半筒部同士を結合して組み付けるように構成したものが知られている（例えば、特許文献２参照）。
【特許文献１】特開２００２−３６４０３７号公報（特許請求の範囲、図１）
【特許文献２】特開平９−１５８２７３号公報（特許請求の範囲、図２，図５，図６）
【発明の開示】
【発明が解決しようとする課題】
【０００５】
しかしながら、特許文献１，２に記載のものは、シャワーヘッドを係止する高さを自由に変更できるが、シャワーヘッドを係止するシャワーフック本体をシャワーヘッドの重量や水圧に抗して設定した高さに確実に保持するためには、強いばね力が必要となる。このように強いばね力を設けると、固定を解除するためにレバー部材，ロックレバーをシャワーフック本体の側面に押し込む操作にも大きな力が必要となる。また、固定を解除する力とハンガー本体を昇降させるための力を、それぞれ別の方向に作用させる必要があり、このため、シャワーフック本体をしっかり掴んで操作しなければ、レバー部材，ロックレバーを押す方向に回転したり、急激に降下したりするおそれがある。また、ばね部材をスライドレールから離れた外方位置に収容するため、ハンガー部の突出が大きくなり、邪魔になるという問題がある。
【０００６】
この発明は、上記事情に鑑みなされたもので、操作アームの回動方向とシャワーフック本体の移動方向を一致させて、シャワーフックの移動と固定操作を容易に行うことができる可動式シャワーフックを提供することを目的とするものである。
【課題を解決するための手段】
【０００７】
上記目的を達成するために、この発明の可動式シャワーフックは、浴室等の壁面に取り付けられるスライドレールに沿って移動可能にスライドレールを抱持するシャワーフック本体と、このシャワーフック本体の内部に設けられ、ばねの付勢力によって上記スライドレールに圧接されるストッパ部材を有するストッパ機構と、このストッパ機構のばねの付勢力に抗して上記ストッパ部材を上記スライドレールから離す方向に移動可能な操作部材と、この操作部材に連設されて上記シャワーフック本体の外部に突出され、上記スライドレールに沿う方向に回動可能な操作アームと、上記シャワーフック本体に突設され、上記操作アームが回動した際にこの操作アームに当接し、操作アームの更なる回動によってシャワーフック本体を上記スライドレールに沿う上方向又は下方向の移動を促す上部突起及び下部突起と、を具備してなる、ことを特徴とする。この場合、上記ストッパ機構は、ストッパ部材の裏面側に係合中空部を有し、かつ、係合中空部の背部にばねを背受するストッパブロックを具備し、上記操作部材を、上記係合中空部内に回転可能に貫挿し、回転に伴って係合中空部に係合して上記ばねの付勢力に抗して上記ストッパ部材をスライドレールから離す方向に移動可能に形成することができる（請求項２）。
【０００８】
このように構成することにより、操作アームを上方向又は下方向に回動することで、操作アームと連設されている操作部材が回動して、ストッパ機構のばねの付勢力に抗してストッパ部材をスライドレールから離す方向に移動する。更に操作アームを回動することにより、操作アームが上部突起又は下部突起に当接してシャワーフック本体をスライドレールに沿う上方向又は下方向に移動することができ、その後、操作アームの回動を停止することにより、ばねの付勢力によってストッパ部材がスライドレールに圧接することで、シャワーフック本体をスライドレールに固定することができる。
【０００９】
この発明において、上記上部突起及び下部突起は、上方向又は下方向に回動する操作アームに係合するものであれば、シャワーフック本体の任意の位置に突設されていてもよいが、好ましくは、上部突起及び下部突起は、上記スライドレールの軸中心に対応する位置に設けられる方がよい（請求項３）。
【００１０】
このように構成することにより、操作アームの回動によるモーメントを効率的にシャワーフック本体に伝達することができる。
【００１１】
また、上記操作アームは、上記操作部材に連設されて上記シャワーフック本体の外部に突出され、シャワーフック本体に突設される上部突起又は下部突起に当接可能なものであれば、任意の形状でよいが、好ましくは、上記操作アームを、上記シャワーフック本体及びスライドレールの外方を包囲する略Ｕ字状に形成する方がよい（請求項４）。
【００１２】
このように構成することにより、操作アームに手をかける範囲を広くすることができ、操作アームの回動操作を容易にすることができる。
【００１３】
また、この発明において、上記シャワーフック本体の上下に、上記スライドレールに摺動可能に被嵌する一対のフィットブロックを更に配置する方が好ましい（請求項５）。この場合、上記フィットブロックを、上記スライドレールに沿う方向と交差方向に複数に分割して形成し、ばねで付勢されて上記スライドレールへ圧接する構造とする方が好ましい（請求項６）。
【００１４】
このように構成することにより、シャワーフック本体の固定が解除された状態において、シャワーフック本体が急激に降下するのを防止することができると共に、シャワーフック本体をスライドレールに沿って昇降移動する際に、シャワーフック本体にモーメント作用が生じにくくすることができる。この場合、フィットブロックを、スライドレールに沿う方向と交差方向に複数に分割して形成し、ばねで付勢されてスライドレールへ圧接することにより、更にばねの付勢力によりガタツキを防止することができる。
【００１５】
また、請求項７記載の発明は、請求項１ないし６のいずれかに記載の可動式シャワーフックにおいて、上記シャワーフック本体は、共働して上記スライドレールを抱持する凹溝を有する２つのフック半体からなり、両フック半体は、対向する開口端部に互いに摺動可能に嵌合する凹凸嵌合部を有すると共に、嵌合状態において合致する上部及び下部係止突起半体を突設してなり、上記上部及び下部突起は、上記上部及び下部係止突起半体に被嵌される一対の膨隆部を一体に有するキャップ部材にて形成されている、ことを特徴とする。
【００１６】
このように構成することにより、浴室等の壁面に取り付けられたスライドレールに対して、一方のフック半体をスライドレールの半分を抱持するように配置した状態で、このフック半体の凹凸嵌合部と他方のフック半体の凹凸嵌合部とを摺動嵌合させて、シャワーフック本体をスライドレールに取り付けることができる。また、キャップ部材の膨隆部を上部及び下部係止突起半体に被嵌して上部突起及び下部突起を形成することができる。
【発明の効果】
【００１７】
以上に詳述したように、この発明の可動式シャワーフックによれば、上記のように構成されているので、以下の効果が得られる。
【００１８】
（１）請求項１，２記載の発明によれば、操作アームの上下方向の回動操作によって容易にシャワーフック本体をスライドレールの任意の位置に昇降移動し、固定することができる。
【００１９】
（２）請求項３記載の発明によれば、操作アームの回動によるモーメントを効率的にシャワーフック本体に伝達することができるので、上記（１）に加えて、更にシャワーフック本体の昇降移動を円滑にすることができる。
【００２０】
（３）請求項４記載の発明によれば、操作アームに手をかける範囲を広くすることができ、操作アームの回動操作を容易にすることができるので、上記（１），（２）に加えて、更にシャワーフック本体の昇降移動を容易にすることができる。
【００２１】
（４）請求項５記載の発明によれば、シャワーフック本体の固定が解除された状態において、シャワーフック本体が急激に降下するのを防止することができると共に、シャワーフック本体をスライドレールに沿って昇降移動する際に、シャワーフック本体にモーメント作用が生じにくくすることができるので、上記（１）〜（３）に加えて、更にシャワーフック本体のガタツキがない移動を保証することができる。この場合、フィットブロックを、スライドレールに沿う方向と交差方向に複数に分割して形成し、ばねで付勢されてスライドレールへ圧接することにより、更にばねの付勢力によりガタツキを防止することができる（請求項６）。
【００２２】
（５）請求項７記載の発明によれば、上記（１）〜（４）に加えて、更にシャワーフック本体の取り付けを容易にすることができると共に、既存のスライドレールに後付によってシャワーフック本体を組み付けることができる。また、キャップ部材の膨隆部を上部及び下部係止突起半体に被嵌して上部突起及び下部突起を形成することで、両フック半体を固定するので、シャワーフック本体の組み付けを確実にすることができる。
【発明を実施するための最良の形態】
【００２３】
以下に、この発明の最良の実施形態について、添付図面に基づいて詳細に説明する。
【００２４】
図１は、この発明に係る可動式シャワーフックの使用状態を示す斜視図、図２は、シャワーフックを示す斜視図、図３は、シャワーフックの固定状態及び上昇移動状態を示す側面図、図４は、シャワーフックの固定状態及び上昇移動状態を示す断面図、図５は、シャワーフックの下降状態を示す側面図及びその断面図である。
【００２５】
この発明に係るシャワーフック１００は、浴室等の壁面に上下方向に取り付けられるスライドレール１０を抱持するシャワーフック本体２０と、このシャワーフック本体２０の内部に設けられ、ばね３４の付勢力によってスライドレール１０に圧接されるストッパ部材３１を有するストッパ機構３０と、このストッパ機構３０のばね３４の付勢力に抗してストッパ部材３１をスライドレール１０から離す方向に移動可能な操作部材４０と、この操作部材４０に連設されてシャワーフック本体２０の外部に突出され、スライドレール１０に沿う方向に回動可能な操作アーム５０と、操作アーム５０が回動した際にこの操作アーム５０に当接してシャワーフック本体２０をスライドレール１０に沿う上方向又は下方向の移動（昇降移動）を促す上部突起６１及び下部突起６２と、シャワーフック本体２０の上下に配置され、スライドレール１０に摺動可能に被嵌する一対のフィットブロック７０と、を具備している。また、シャワーフック本体２０に設けられたフック部８０にシャワーヘッドＳＨを着脱可能に係止するように構成されている。
【００２６】
上記スライドレール１０は手摺の機能を有しており、例えば、ステンレス製のパイプ材にて形成されている。スライドレール１０は、浴室等の壁面にねじにより上下配置に固定される一対のブラケット１１，１２に上下端部を固定されることにより、浴室等の壁面より平行に離れて設けられる。そして、スライドレール１０の上下端には化粧キャップ１３，１４が被嵌される。ブラケット１１，１２及び化粧キャップ１３，１４は、例えば、合成樹脂製又はアルミダイキャスト製の成形品にて形成されている。
【００２７】
上記シャワーフック本体２０は、共働してスライドレール１０を抱持する凹溝２１ａ，２２ａを有する２つのフック半体すなわちフック部８０とストッパ機構３０を有する第１のフック半体２１と、この第１のフック半体２１の凹溝２１ａと共働してスライドレール１０を抱持する凹溝２２ａを有する略半円筒状の第２のフック半体２２とで構成されている。
【００２８】
この場合、両フック半体２１，２２は例えば合成樹脂製にて形成されており、凹溝２１ａ，２２ａの開口端部に、互いに摺動可能に嵌合可能な凹凸嵌合部２１ｂ，２２ｂが設けられ、嵌合状態において合致する上部係止突起半体２３及び下部係止突起半体２４が突設されている。なお、一方のフック半体例えば第１のフック半体２１の上端部には、外方に延在する係止突片２１ｃが突設され、他方の第２のフック半体２２の上端部には、係止突片２１ｃと係合可能な係止段部２２ｃが設けられている。このように係止突片２１ｃと係止段部２２ｃを設けることにより、フック半体２１，２２の上端面を同一平面上に連結することができる。なお、合致した状態の上部係止突起半体２３及び下部係止突起半体２４に、後述するキャップ部材６５を被嵌して上部突起６１及び下部突起６２が形成されている。
【００２９】
上記ストッパ機構３０は、ストッパ部材３１の裏面側に位置する係合中空部３２を有し、かつ、係合中空部３２の背部にばね３４を背受するストッパブロック３３を具備し、操作部材４０は、係合中空部３２内に回転可能に貫挿され、回転に伴って係合中空部３２に係合してばね３４の付勢力に抗してストッパ部材３１をスライドレール１０から離れる方向に移動可能に形成されている。
【００３０】
この場合、ストッパ部材３１は、パイプ部材によって形成されるスライドレール１０の外周面に当接すべく円弧状の当接面３１ａを有する合成ゴム製部材にて形成されている。
【００３１】
また、ストッパブロック３３は合成樹脂製にて形成されており、ストッパ部材３１の裏面側に位置する係合中空部３２は略矩形状に形成され、係合中空部３２の背部に設けられたばね受け部３５と第１のフック半体２１に設けられたばね受け凹所３６との間に、例えばコイルスプリングにて形成されるばね３４が縮設されている。なお、ストッパ部材３１は、例えばねじや接着剤等の固定手段によってストッパブロック３３に固定されている。
【００３２】
操作部材４０は、係合中空部３２内に回転可能に貫挿される、例えばステンレス製の四角筒体にて形成されている。この操作部材４０の中空部４１内に操作アーム５０の取付基部５１が貫挿され、係合中空部３２のストッパ部材３１側面に設けられた貫通孔３７を介して挿入される固定ねじ３８によって操作部材４０と取付基部５１が固定されている。
【００３３】
このように四角筒体にて形成される操作部材４０は、操作アーム５０の回動操作によって回転することにより、角部が係合中空部３２の側面すなわちストッパ部材３１側面と対向する面に当接係合して、ばね３４の付勢力に抗してストッパ部材３１をスライドレール１０から離れる方向に移動することができる。なお、ストッパブロック３３の係合中空部３２における操作部材４０が当接係合する面にはステンレス製の補強板３９が固定ねじ（図示せず）によって固定されている。
【００３４】
なお、上記説明では、操作部材４０が四角筒体にて形成される場合について説明したが、操作部材４０は必ずしも四角筒体にて形成する必要はなく、回転により係合中空部３２の側面に当接係合する形状例えば四角以外の多角形状や楕円形状等であってもよい。
【００３５】
上記操作アーム５０は、図２，図６及び図８に示すように、操作部材４０に貫挿固定される取付基部５１の両端突出部に一端部が例えば凹凸嵌合によって連設される一対の矩形棒状のアーム基部５２と、このアーム基部５２の先端面に設けられた係止凹所５３にスナップ嵌合可能な係止爪５４を有し、第２のフック半体２２及びスライドレール１０の外方を包囲する略Ｕ字状のアーム操作部５５とで構成されている。この場合、操作アーム５０を構成する取付基部５１、アーム基部５２及びアーム操作部５５は、それぞれ合成樹脂製にて形成されている。
【００３６】
上記上部突起６１及び下部突起６２は、図８及び図９に示すように、板状の連結部６３の両端に突設される例えば略円柱状の膨隆部６４ａ，６４ｂを有する合成樹脂製のキャップ部材６５にて形成されている。この場合、図９に示すように、膨隆部６４ａ，６４ｂの一端面の中央部には、内周の一部に係止突起６６を有する嵌合穴６７が設けられている。また、上部係止突起半体２３及び下部係止突起半体２４の外周面には係止溝２５が設けられている。なお、膨隆部６４ａ，６４ｂは必ずしも円柱状である必要はなく、例えば截頭円錐状や三角柱状等任意の形状であってもよい。
【００３７】
すなわち、上部突起６１及び下部突起６２を形成するには、第１のフック半体２１と第２のフック半体２２が嵌合された状態で合致する上部係止突起半体２３と下部係止突起半体２４に膨隆部６４ａ，６４ｂの嵌合穴６７を被嵌し、嵌合穴６７に設けられた係止突起６６を、上部係止突起半体２３及び下部係止突起半体２４の外周面に設けられた係止溝２５に係合させた状態で被嵌することで、シャワーフック本体２０の外部におけるスライドレールの軸中心に対応する位置に上部突起６１及び下部突起６２を形成する。
【００３８】
このように、上部突起６１及び下部突起６２を、シャワーフック本体２０の外部におけるスライドレールの軸中心に対応する位置に設けることによって、操作アーム５０の回動によるモーメントを効率的にシャワーフック本体２０に伝達することができる。つまり、操作アーム５０の回動によってシャワーフック本体２０がスライドレール１０に対して回転するモーメント作用を抑制し、操作アーム５０の回動によるモーメントをシャワーフック本体２０がスライドレール１０に沿う方向に寄与して、シャワーフック本体２０の昇降を円滑にすることができる。
【００３９】
上記フィットブロック７０は、図６に示すように、シャワーフック本体２０を構成する第１のフック半体２１及び第２のフック半体２２に設けられた凹溝２１ａ，２２ａによって形成された空間２６内に収容されている。フィットブロック７０は、それぞれ半円状の内面に平行な複数の摺接リブ７１を有すると共に、第１のフック半体２１側に位置する、スライドレール１０に沿う方向と交差方向に二分割に形成される第１及び第２のブロック片７２ａ，７２ｂと、第２のフック半体２２側に位置する一つの第３のブロック片７２ｃとを具備している。そして、第１及び第２のブロック片７２ａ，７２ｂは、第１のフック半体２１側に設けられたばね受け凹所７３内に縮設される圧接ばね７４の付勢力によってスライドレール１０に圧接されている。
【００４０】
なお、上記説明では、フィットブロック７０がシャワーフック本体２０の上下部に配置される第１ないし第３のブロック片７２ａ，７２ｂ，７２ｃからなる場合について説明したが、第２のフック半体２２側に配置される上下の第３のブロック片７２ｃ同士を連結して一体に形成してもよい。このように、上下の第３のブロック片７２ｃ同士を連結することにより、構成部材の削減が図れると共に、部材の生産性の向上が図れる。
【００４１】
フィットブロック７０は、圧接ばね７４の付勢によりガタツキを防止することができると共に、シャワーフック本体２０を昇降させる際には、内面に設けられた摺接リブ７１によりスライドレール１０との摩擦を少なくできるので、円滑に昇降させることができる。これにより、シャワーフック本体２０の移動機能が低下せずガタツキがない移動が保証される。
【００４２】
また、シャワーフック本体２０は、第１のフック半体２１の外面一側にフック部８０を備えている。このフック部８０は、シャワーフック本体２０の外面一側に突設された一対のブラケット８１，８２により両端支持されると共に、垂直面内に回動可能に形成されている（図１，図２及び図８参照）。
【００４３】
また、フック部８０は、横軸円筒体の中央に上側が大径で下側が小径のテーパ空間を貫通形成し、かつ前側が開いているシャワーヘッド係止面８３を備え、このシャワーヘッド係止面８３にシャワーヘッドSHを上方から挿し込んで引っ掛けて係止できる（図１参照）。また、フック部８０は、図６に示すように、両側の端面を一対のブラケット８１，８２間に密着するように挟入され、両端を止めねじ８４で止められている。止めねじ８４は、各ブラケット８１，８２の外方から各ブラケット８１，８２に設けた透孔８５を貫通して、フック部８０の端面に設けられたねじ孔８６に堅く締め付けられている。止めねじ８４とブラケット８１，８２は、軸と軸受の関係に嵌合していることにより、フック部８０は、止めねじ８４と一体に垂直面内に回動可能である。また、フック部８０は、背面の側円筒面に側方から見て波形状に連なる係止溝８７を備え、この係止溝８７の一つの谷部に、シャワーフック本体２０の外面に、係止ばね８８の付勢力によって突設される係止部材８９が位置して鉛直軸に対して角度変位可能に係止されるようになっている（図４，図５参照）。
【００４４】
したがって、フック部８０は、垂直面内に揺動されるとき、内部より係止ばね８８によって付勢されている係止部材８９が係止溝８７の一つの谷部から他の谷部へ移るときに操作者の手にクリック感を与えつつ、例えば１０°の分割角度で位置決めされてシャワーヘッドSHの傾き角度を調整できる。
【００４５】
上記のように構成されるシャワーフック１００を組み付けるには、まず、予め第１のフック半体２１にストッパ機構３０を組み込むと共に、第１及び第２のフック半体２１，２２にフィットブロック７０の第１，第２及び第３のブロック片７２ａ，７２ｂ，７２ｃを組み込む。ストッパ機構３０を第１のフック半体２１に組み込むには、第１のフック半体２１の凹溝２１ａ内にばね３４を介してストッパブロック３３を挿入し、ばね３４を圧縮した状態で、ストッパブロック３３の係合中空部３２内に嵌挿されている操作部材４０内に操作アーム５０の取付基部５１を挿入し、係合中空部３２に設けられた貫通孔３７から挿入される固定ねじ３８によって操作部材４０と取付基部５１を固定する。そして、ストッパブロック３３の表面側にストッパ部材３１を固着する。なお、第１のフック半体２１の上下部の凹溝２１ａ内の空間２６に、圧接ばね７４を介して第１及び第２のブロック片７２ａ，７２ｂを組み込む。
【００４６】
上記のようにしてストッパ機構３０とフィットブロック７０の第１及び第２のブロック片７２ａ，７２ｂを組み込んだ後、第１のフック半体２１を、浴室等の壁面に取り付けられたスライドレール１０の左右方向の半分例えば右半分を抱持するように組み付ける。
【００４７】
次に、予めフィットブロック７０の第３のブロック片７２ｃを組み込んだ第２のフック半体２２を、第１のフック半体２１の下方側におけるスライドレール１０の残りの半分例えば左半分を抱持するように配置した状態で、第１のフック半体２１と第２のフック半体２２を相対的に上下方向に移動して、第１のフック半体２１及び第２のフック半体２２の凹溝２１ａ，２２ａの先端部に設けられた凹凸嵌合部２１ｂ，２２ｂを摺動嵌合し、係止突片２１ｃと係止段部２２ｃを係合する。これにより、第１のフック半体２１と第２のフック半体２２が、上端面が同一面上に組み付けられる。
【００４８】
第１のフック半体２１と第２のフック半体２２が組み付けられると、第１のフック半体２１及び第２のフック半体２２に設けられた上部係止突起半体２３と下部係止突起半体２４が合致した状態となる。この状態で、上部突起６１及び下部突起６２を有するキャップ部材６５の膨隆部６４ａ，６４ｂに設けられた嵌合穴６７を、上部係止突起半体２３と下部係止突起半体２４に被嵌し、嵌合穴６７に設けられた係止突起６６を、上部係止突起半体２３及び下部係止突起半体２４に設けられた係止溝２５に係合させて、シャワーフック本体２０の外部におけるスライドレールの軸中心に対応する位置に上部突起６１と下部突起６２を形成する。これにより、第１のフック半体２１と第２のフック半体２２が強固に連結・固定される。
【００４９】
次に、シャワーフック本体２０の両側に突出する取付基部５１の端部に連設するアーム基部５２の先端面に設けられた係止凹所５３に、アーム操作部５５の係止爪５４をスナップ嵌合させて操作アーム５０を組み付けてシャワーフック１００の組み付けを完了する。
【００５０】
上記のように構成されるシャワーフック１００によれば、シャワーフック本体２０が、スライドレール１０に対して昇降可能かつ回動可能に係合している（図１参照）。
【００５１】
シャワーヘッドSHの傾きを変えるには、シャワーヘッドSHを係止するフック部８０の傾きを変える。この場合、シャワーヘッドSHを掴んでフック部８０の傾きを変えることができる。また、シャワーヘッドSHの高さを変えるには、シャワーフック本体２０の高さを変えることによって行う。例えば、シャワーフック本体２０を上方へ移動（上昇）させる場合は、操作アーム５０を上方に回動させる。この操作アーム５０の回動によって操作部材４０が回転して、ストッパ機構３０のばね３４の付勢力に抗してストッパ部材３１をスライドレール１０から離れる方向に移動し、更に操作アーム５０を回動することにより、操作アーム５０が上部突起６１に当接してシャワーフック本体２０をスライドレール１０に沿う上方向に移動する（図３（ｂ），図４（ｂ）参照）。このとき、上下一対のフィットブロック７０がスライドレール１０にガタツキなく圧接するので、シャワーフック本体２０がガタツキなく上方へ押し下げられる。その後、操作アーム５０の回動を停止して解除すると、ばね３４の付勢力によってストッパ部材３１がスライドレール１０に圧接するので、シャワーフック本体２０はスライドレール１０にガタツキなく確実に固定される（図３（ａ），図４（ａ）参照）。
【００５２】
シャワーフック本体２０を下方へ移動（下降）させる場合は、操作アーム５０を下方に回動させる。この操作アーム５０の回動によって操作部材４０が回転して、ストッパ機構３０のばね３４の付勢力に抗してストッパ部材３１をスライドレール１０から離れる方向に移動し、更に操作アーム５０を回動することにより、操作アーム５０が下部突起６２に当接してシャワーフック本体２０をスライドレール１０に沿う下方向に移動する（図５（ａ），（ｂ）参照）。このとき、上下一対のフィットブロック７０がスライドレール１０にガタツキなく圧接するので、シャワーフック本体２０がガタツキなく下方へ押し下げられる。その後、操作アーム５０の回動を停止して解除すると、ばね３４の付勢力によってストッパ部材３１がスライドレール１０に圧接するので、シャワーフック本体２０はスライドレール１０にガタツキなく確実に固定される（図３（ａ），図４（ａ）参照）。
【００５３】
上記実施形態によれば、シャワーフック本体２０の固定を解除する力と昇降させるための力を一致する方向に作用させることができるので、シャワーフック本体２０の固定を解除する操作力が小さくて足り、シャワーフック本体２０をしっかり掴んで操作しなくても、シャワーフック本体２０がスライドレール１０の周方向に回転したり、急激に降下したりするおそれがない。
【図面の簡単な説明】
【００５４】
【図１】この発明に係る可動式シャワーフックにシャワーヘッドを掛けた使用状態を示す斜視図である。
【図２】上記シャワーフックを示す斜視図である。
【図３】上記シャワーフックの固定状態を示す側面図（ａ）及びシャワーフックの上昇状態を示す側面図（ｂ）である。
【図４】上記シャワーフックの固定状態を示す断面図（ａ）、シャワーフックの上昇状態を示す断面図（ｂ）及びこの発明におけるストッパ機構を示す拡大断面図（ｃ）である。
【図５】上記シャワーフックの下降状態を示す側面図（ａ）及び下降状態を示す断面図（ｂ）である。
【図６】図４（ａ）のＩ−Ｉ線に沿う断面図である。
【図７】図４（ａ）のII−II線に沿う断面図である。
【図８】上記シャワーフックの分解斜視図である。
【図９】この発明における上部突起及び下部突起を構成するキャップ部材の正面斜視図（ａ）、裏面斜視図（ｂ）及び取付状態を示す断面図（ｃ）である。
【符号の説明】
【００５５】
１００  シャワーフック
ＳＨ  シャワーヘッド
１０  スライドレール
２０  シャワーフック本体
２１  第１のフック半体
２１ａ  凹溝
２２  第２のフック半体
２２ａ  凹溝
２３  上部係止突起半体
２４  下部係止突起半体
３０  ストッパ機構
３１  ストッパ部材
３２  係合中空部
３３  ストッパブロック
３４  ばね
４０  操作部材
５０  操作アーム
５１  取付基部
５２  アーム基部
５５  アーム操作部
６１  上部突起
６２  下部突起
６４ａ，６４ｂ  膨隆部
６５  キャップ部材
７０  フィットブロック
７２ａ，７２ｂ，７２ｃ  第１，第２，第３のブロック片
８０  フック部
【図１】
2008267054.tif 000003
【図２】
2008267054.tif 000004
【図３】
2008267054.tif 000005
【図４】
2008267054.tif 000006
【図５】
2008267054.tif 000007
【図６】
2008267054.tif 000008
【図７】
2008267054.tif 000009
【図８】
2008267054.tif 000010
【図９】
2008267054.tif 000011